(57)【特許請求の範囲】
【請求項１】
連続紙の搬送方向に沿って設けられ上下方向に移動自在な一対の上パッドと、前記一対の上パッドの間に設けられ上下方向に移動自在なハンマーと、前記一対の上パッドのうち少なくとも一方の上パッドに対向して設けられた下パッドとを備え、
前記一対の上パッドを下方向に移動させ、該一対の上パッドと前記下パッド及び切断装置本体との間で前記連続紙を挟持して、前記ハンマーを下方向へ移動させることにより、前記連続紙をミシン目で切断する記録装置の連続紙切断装置であって、
連続紙の搬送方向を案内し連続紙先端が前記下パッドに引っかかるのを防止するパッドガイドが設けられ、
該パッドガイドは、水平部と斜面部とを備え、該水平部の前記斜面部との接続部分に開口された窓部が設けられ、
前記下パッドは、前記窓部内に位置すると共に、前記上パッドに対して搬送方向にずれて配設され、
前記斜面部の上端は、前記下パッドの前記ずれによりできたスペースに位置するように形成され、
前記パッドガイドの前記窓部を構成する前記水平部及び斜面部の上端部分は、連続紙非切断時には前記下パッドの上面より上方に位置し、連続紙切断時には前記上パッドに押圧されて前記下パッドの上面より下方に退避するように構成されていることを特徴とする記録装置の連続紙切断装置。
【請求項２】
請求項１において、前記パッドガイドは、前記上パッドで押圧されたときに一部が撓むことにより、前記下パッドの上面より下方に退避することを特徴とする記録装置の連続紙切断装置。
【請求項３】
請求項１又は２において、前記パッドガイドは、前記切断装置本体の一部を構成するフレームに取り付けられていることを特徴とする記録装置の連続紙切断装置。
【請求項４】
請求項１において、前記パッドガイドは、導電性を有する材料で形成されていることを特徴とする記録装置の連続紙切断装置。
【請求項５】
連続紙の搬送方向に沿って設けられた一対の上パッドと、前記一対の上パッドの間に設けられ上下方向に移動自在なハンマーと、前記一対の上パッドのうち少なくとも一方の上パッドに対向して設けられた下パッドとを備え、
連続紙の搬送方向を案内し連続紙先端が前記下パッドに引っかかるのを防止するパッドガイドが設けられ、
該パッドガイドは、水平部と斜面部とを備え、該水平部の前記斜面部との接続部分に開口された窓部が設けられ、
前記下パッドは、前記窓部内に位置すると共に、前記上パッドに対して搬送方向にずれて配設され、
前記斜面部の上端は、前記下パッドの前記ずれによりできたスペースに位置するように形成され、
前記一対の上パッドと、前記下パッド及び切断装置本体との間に連続紙を挟持して、前記連続紙のミシン目部分をハンマーで押圧することにより、前記連続紙をミシン目で切断する記録装置の連続紙切断方法であって、
連続紙先端をパッドガイドにより前記下パッド上面より上方へ位置規制しながら連続紙を搬送し、連続紙切断の際は前記パッドガイドの前記窓部を構成する前記水平部及び斜面部の上端部分が前記下パッド上面より下方に退避して、前記上パッドと下パッド及び前記斜面部の上端との間に連続紙を挟持することを特徴とする記録装置の連続紙切断方法。
【発明の詳細な説明】
【０００１】
【発明の属する技術分野】
本発明は、ミシン目を有する連続紙を該ミシン目で切断する記録装置の連続紙切断装置及び連続紙切断方法に関する。
【０００２】
【従来の技術】
一般に、プリンタ等の記録装置で使用される連続紙には、一定の間隔で用紙幅方向にミシン目が設けられている。このような連続紙のミシン目を切断するための連続紙切断装置としては、連続紙の搬送方向に沿って上流側と下流側の２カ所にそれぞれ上流側上パッド及び下流側上パッドが設けられ、また切断装置本体のフレームには下流側上パッドに対向して下パッドが設けられている。さらに、上流側上パッドと下流側上パッドとの間には上下方向に移動自在なハンマーが設けられている。そして、上流側上パッド及び下流側上パッドを下方向へ移動させ、上流側上パッドと切断装置本体のフレームとの間及び下流側上パッドと下パッドとの間で連続紙を挟持して固定し、この状態で、ハンマーを下方向に移動させて連続紙を押圧することにより、連続紙をミシン目で切断するようになっている。
【０００３】
【発明が解決しようとする課題】
しかしながら、上記従来の技術では、連続紙先端が下パッド部分を通過するときに該下パッドのエッジ部に引っかかる虞がある。特に、連続紙をミシン目で切断したときに、連続紙先端が垂れ下がるため、連続紙先端が下パッドのエッジ部に引っかかりやすいという問題がある。すなわち、図８に示すように、切断したときに連続紙１の先端１Ａが垂れ下がり、この状態で連続紙１を搬送すると、連続紙先端１Ａがフレーム２上の下パッド３のエッジ部にひっかかって紙ジャムが発生する。
【０００４】
本発明の課題は、連続紙先端が下パッドのエッジ部に引っかからず、もって連続紙のミシン目での切断および搬送をスムーズに行うことのできる記録装置の連続紙切断装置および連続紙切断方法を提供することにある。
【０００５】
【課題を解決するための手段】
上記課題を達成するために、本願請求項１に記載の発明は、連続紙の搬送方向に沿って設けられ上下方向に移動自在な一対の上パッドと、前記一対の上パッドの間に設けられ上下方向に移動自在なハンマーと、前記一対の上パッドのうち少なくとも一方の上パッドに対向して設けられた下パッドとを備え、前記一対の上パッドを下方向に移動させ、該一対の上パッドと前記下パッド及び切断装置本体との間で前記連続紙を挟持して、前記ハンマーを下方向へ移動させることにより、前記連続紙をミシン目で切断する記録装置の連続紙切断装置であって、連続紙の搬送方向を案内し連続紙先端が前記下パッドに引っかかるのを防止するパッドガイドが設けられ、該パッドガイドは、水平部と斜面部とを備え、該水平部の前記斜面部との接続部分に開口された窓部が設けられ、前記下パッドは、前記窓部内に位置すると共に、前記上パッドに対して搬送方向にずれて配設され、前記斜面部の上端は、前記下パッドの前記ずれによりできたスペースに位置するように形成され、前記パッドガイドの前記窓部を構成する前記水平部及び斜面部の上端部分は、連続紙非切断時には前記下パッドの上面より上方に位置し、連続紙切断時には前記上パッドに押圧されて前記下パッドの上面より下方に退避するように構成されていることを特徴とするものである。
【０００６】
本発明によれば、例えば連続紙をミシン目で切断した後に上パッドを上方向へ移動させると、パッドガイドの先端部が下パッドの上面位置よりも上側に位置するので、連続紙の先端はパッドガイドに案内されて、下パッドのエッジ部の上方を搬送され、連続紙先端が下パッドのエッジ部に引っかかるのを回避することができる。また、連続紙切断時には、パッドガイドは、上パッドに押圧されて下パッドの上面位置より下方に退避するので、上パッドと下パッドとによる連続紙の挟持動作は確実に行われ、ミシン目の切断を問題なく行うことができる。
【０００７】
また、本願請求項２に記載の発明は、請求項１に記載された記録装置の連続紙切断装置において、前記パッドガイドは、前記上パッドで押圧されたときに一部が撓むことにより、前記下パッドの上面より下方に退避することを特徴とするものである。本発明によれば、上パッドで押圧されたときに、パッドガイドの一部が撓むので下パッドの上面が露出し、これによって、上パッドと下パッドで連続紙を確実に挟持することが可能となる。
【０００８】
また、本願請求項３に記載の発明は、請求項１又は２に記載された記録装置の連続紙切断装置において、前記パッドガイドは前記切断装置本体の一部を構成するフレームに取り付けられていることを特徴とするものである。本発明のように、パッドガイドがフレームに取り付けられてユニット化されていれば、連続紙切断装置の組立を容易に行うことができ、生産ラインにおける組立作業の軽減化を図ることができる。
【０００９】
さらに、本願請求項４に記載の発明は、請求項１に記載された記録装置の連続紙切断装置において、前記パッドガイドは、導電性を有する材料で形成されていることを特徴とするものである。本発明によれば、切断時に連続紙に静電気が生じても、その静電気をパッドガイドを介して切断装置本体側へ逃がすことができ、切断後の連続紙が静電気によりパッドガイド等に張り付くといった不具合の発生を防止できる。
【００１０】
また、本願請求項５に記載の発明は、連続紙の搬送方向に沿って設けられた一対の上パッドと、前記一対の上パッドの間に設けられ上下方向に移動自在なハンマーと、前記一対の上パッドのうち少なくとも一方の上パッドに対向して設けられた下パッドとを備え、連続紙の搬送方向を案内し連続紙先端が前記下パッドに引っかかるのを防止するパッドガイドが設けられ、該パッドガイドは、水平部と斜面部とを備え、該水平部の前記斜面部との接続部分に開口された窓部が設けられ、前記下パッドは、前記窓部内に位置すると共に、前記上パッドに対して搬送方向にずれて配設され、前記斜面部の上端は、前記下パッドの前記ずれによりできたスペースに位置するように形成され、前記一対の上パッドと、前記下パッド及び切断装置本体との間に連続紙を挟持して、前記連続紙のミシン目部分をハンマーで押圧することにより、前記連続紙をミシン目で切断する記録装置の連続紙切断方法であって、連続紙先端をパッドガイドにより前記下パッド上面より上方へ位置規制しながら連続紙を搬送し、連続紙切断の際は前記パッドガイドの前記窓部を構成する前記水平部及び斜面部の上端部分が前記下パッド上面より下方に退避して、前記上パッドと下パッド及び前記斜面部の上端との間に連続紙を挟持することを特徴とするものである。
【００１２】
【発明の実施の形態】
以下、本発明の実施の形態を図面に従って説明する。図１は本発明に係る連続紙切断装置の待機時の様子を示した縦断面図、図２は同連続紙切断装置の紙押え時の様子を示した縦断面図、図３は同連続紙切断装置の紙切断時の様子を示した縦断面図、図４は後フレームに取り付けられたパッドガイドの斜視図、図５は図４の一部を詳細に示した拡大図、図６は紙搬送時のパッドガイドの様子を示した図、図７は紙切断時のパッドガイドの様子を示した図である。
【００１３】
図１に示すように、本発明に係る一実施の形態の連続紙切断装置１０は、連続紙１１の搬送方向Ａに沿って、連続紙１１の上面側に上流側上パッド１２と下流側上パッド１３が設けられ、上流側上パッド１２は紙押えフレーム１４に、下流側上パッド１３は紙押えフレーム１５にそれぞれ取り付けられている。なお、上流側上パッド１２と下流側上パッド１３はゴムで形成され、図１の紙面垂直方向に複数個設けられている。
【００１４】
また、上流側上パッド１２と下流側上パッド１３との間にはハンマー１６が設けられている。このハンマー１６は先端がＵ字型をなしており、図１の紙面垂直方向に延設されている。そして、上流側上パッド１２、下流側上パッド１３、及びハンマー１６等は上カバー１７内に収納されている。
【００１５】
上カバー１７と紙押えフレーム１４，１５と間にはそれぞれ紙押えばね１８，１９が介装され、紙押えフレーム１４，１５はそれぞれ紙押えばね１８，１９によって下方向に付勢されている。
【００１６】
また、紙押えフレーム１４，１５は、図示していないリンク機構を介して駆動軸２０に連結されており、待機時（つまり連続紙を切断する以外の時）には前記リンク機構によって図１のように上方向に押し上げられているが、連続紙１１の切断時には図２及び図３のように下方向に移動する。なお、紙押えフレーム１４，１５の上下方向への移動動作の詳細については後述する。
【００１７】
上流側上パッド１２及び下流側上パッド１３の下方には、それぞれ前フレーム２１及び後フレーム２２が設けられている。これら前フレーム２１及び後フレーム２２に上カバー１７がビス２３により固定されている。後フレーム２２内にはモータ２４が収納されている。モータ２４にはその出力軸にモータピニオン２５が取り付けられ、このモータピニオン２５には減速ギア２６が噛み合わされ、さらに減速ギア２６には駆動ギア２７が噛み合わされている。そして、前述した駆動軸２０は駆動ギア２７に連結されており、この駆動軸２０はモータ２５により回転駆動される。また、前フレーム２１と後フレーム２２との間には、ハンマー１６に対向して紙案内部材２８が配置されている。この紙案内部材２８は上下方向に移動自在となっている。前フレーム２１と後フレーム２２の下部は下カバー２９で被われている。
【００１８】
後フレーム２２の一側（紙案内部材２８側）は僅かに低く形成されて段付き部２２Ａが設けられている。この段付き部２２Ａには下流側上パッド１３に対向して下パッド３０が固定されている。また後フレーム２２の他側には排紙ローラ３１が設けられている。なお、下パッド３０はゴムで形成されている。
【００１９】
本実施の形態では、後フレーム２２の段付き部２２Ａに、ポリエステル樹脂などで形成されたパッドガイド３２が取り付けられている。その様子を図４及び図５に示す。図４及び図５に示すように、パッドガイド３２は水平部３２Ａ、斜面部３２Ｂ、及び垂直部３２Ｃの３つに折り曲げられ、水平部３２Ａと垂直部３２Ｃが後フレーム２２に接着されて固定されている。水平部３２Ａと垂直部３２Ｃの裏面には接着面が形成されおり、接着前は、その接着面ははくり紙を被われている。そして、パッドガイド３２を後フレーム２２に取り付ける際に、はくり紙を剥がして水平部３２Ａ及び垂直部３２Ｃを後フレーム２２に接着固定する。このようにすれば、生産ラインにおける作業の軽減化を図ることができる。
【００２０】
下パッド３０は、下流側上パッド１３の個数に対応して、後フレーム２２の幅方向に沿って複数個（ここでは、８個）設けられている。また、パッドガイド３２の水平部３２Ａには下パッド３０の個数に対応した数の窓部３２Ｄが形成されている。そして、パッドガイド３２を後フレーム２２に接着固定したとき、各下パッド３０はその上面が窓部３２Ｄから上方に露出しないようになっている。
【００２１】
パッドガイド３２の窓部３２Ｄは、図６及び図７に示すように、連続紙の搬送方向に沿って上流側及び下流側の内縁が下側に折り曲げられ、連続紙１１の矢印Ａ方向への搬送時またはその反対方向への逆送時に、連続紙１１が引っ掛からないないようになっている。また、パッドガイド３２は斜面部３２Ｂが後フレーム２２に接着されておらず、後フレーム２２と斜面部３２Ｂとの間には空隙３２Ｅが形成されている。
【００２２】
次に、上記構成の連続紙切断装置の動作について図１乃至図３に基づいて説明する。連続紙１１のミシン目がハンマー１６の真下にきたとき、連続紙１１の搬送動作を停止して、図２に示すように、上流側上パッド１２及び下流側上パッド１３を下方向に移動させる。上流側上パッド１２及び下流側上パッド１３を下方向に移動させる動作は、モータ２５で駆動軸２０を回転駆動することによって行われる。すなわち、通常、紙押えフレーム１４，１５は図示していないリンク機構によって上方向に押し上げられているが、駆動軸２０を回転駆動させると、前記リンク機構によって紙押えフレーム１４，１５の上方向への押し上げ状態が解除され、これにより、紙押えフレーム１４，１５は紙押えばね１８，１９の付勢力によって下方向に移動する。そして、この移動動作に伴って上流側上パッド１２及び下流側上パッド１３が下方向に移動し、上流側上パッド１２と前フレーム２１との間、及び下流側上パッド１３と下パッド３０との間に連続紙１１が挟持され固定される。また、このとき、パッドガイド３２の斜面部３２Ｂは、下流側上パッド１３に押圧されて空隙３２Ｅ側に撓んで、パッドガイド３２の先端が下パッド３０の上面より退避する。これにより、下流側上パッド１３と下パッド３０との間に連続紙１１を確実に挟持することができる。
【００２３】
このように連続紙１１が固定された状態で、図３に示すように、ハンマー１６を下方向に移動させる。このハンマー１６の下方向への移動も、駆動軸２０の回転駆動によって行われる。ハンマー１６の下方向への移動により、連続紙１１はミシン目で確実に切断される。
【００２４】
連続紙１１をミシン目で切断したら、紙押えばね１８，１９の付勢力に抗して紙押えフレーム１４，１５を上方向へ押し上げ、上流側上パッド１２及び下流側上パッド１３を上方向への移動させる。これにより、上流側上パッド１２と前フレーム２１、及び下流側上パッド１３と下パッド３０による連続紙１１の挟持が解除される。
【００２５】
次に、切断された連続紙のうちミシン目よりも前方の連続紙１１Ａ（図３参照）は排紙ローラ３１により外部に排出される。また、ミシン目よりも後方の連続紙１１Ｂ（図３参照）は引き続き矢印Ａ方向に搬送される。このとき、連続紙１１Ｂの先端は、パッドガイド３２の斜面部３２Ｂにより案内され、下パッド３０のエッジ部にひっかかることなくスムーズに搬送される。すなわち、この状態のときは斜面部３２Ｂは下流側上パッド１３で押圧されていないので、その先端は下パッド３０の上面よりは上に位置しており、斜面部３２Ｂで搬送方向が案内される連続紙１１Ｂは下パッド３０のエッジ部にひっかかることはない。
【００２６】
【発明の効果】
以上説明したように、本発明によれば、連続紙の先端は、パッドガイドで搬送方向が案内されて、連続紙先端が下パッドのエッジ部に衝突するのを回避することができる。その結果、連続紙をスムーズに搬送することが可能となる。
【図面の簡単な説明】
【図１】本発明に係る連続紙切断装置の待機時の様子を示した縦断面図である。
【図２】同連続紙切断装置の紙押え時の様子を示した縦断面図である。
【図３】同連続紙切断装置の紙切断時の様子を示した縦断面図である。
【図４】後フレームに取り付けられたパッドガイドの斜視図である。
【図５】図４の一部を詳細に示した拡大図である。
【図６】用紙搬送時のパッドガイドの様子を示した図である。
【図７】用紙切断時のパッドガイドの様子を示した図である。
【図８】従来技術での課題を説明した図である。
【符号の説明】
１０  連続紙切断装置
１１  連続紙
１２  上流側上パッド
１３  下流側上パッド
１４，１５  紙押えフレーム
１８，１９  紙押えばね
１６  ハンマー
３０  下パッド
３２  パッドガイド
３２Ａ  水平部
３２Ｂ  斜面部
３２Ｃ  垂直部
３２Ｄ  窓部
【図１】
0003772948.tif 000002
【図２】
0003772948.tif 000003
【図３】
0003772948.tif 000004
【図４】
0003772948.tif 000005
【図５】
0003772948.tif 000006
【図６】
0003772948.tif 000007
【図７】
0003772948.tif 000008
【図８】
0003772948.tif 000009